(57)【要約】【課題】簡易な構成及び操作によって対応する映像（音）を高い質で出力させることが可能な情報出力システム等を提供する。【解決手段】通信網ＮＴを介して選択制御情報の受信を行うディスプレイ２と、上記通信網ＮＴを介してディスプレイ２にアクセス可能な増幅器１と、増幅器１及びディスプレイ２に接続されるＤＶＤプレーヤ３ａ、ビデオテープレコーダ３ｂ及びセットトップボックス３ｃと、を有するＡＶシステムＴにおいて、ＤＶＤプレーヤ３ａ、ビデオテープレコーダ３ｂ又はセットトップボックス３ｃから増幅器１に出力された音情報から一の音情報を選択する選択部１２と、選択された音情報と同時に出力されるべき映像情報を示す接続情報に基づいて、当該同時に出力されるべき映像情報を選択させるための選択制御情報をディスプレイ２へ送信する通信部１４と、を備える。【選択図】  図１
2005051399.tif 000002
【特許請求の範囲】
【請求項１】
複数種類の属性のうちのいずれか一の属性を有する一属性情報を出力することを主用途とする一属性情報出力装置であって、前記一属性情報を出力するための情報が入力される一属性入力手段を複数備える一属性情報出力装置と、前記一属性情報と異なる属性を有する他属性情報を出力することを主用途とする他属性情報出力装置であって、前記他属性情報を出力するための情報が入力される他属性入力手段を複数備える他属性情報出力装置と、を含む情報出力システムにおいて、
出力すべき前記一属性情報又は前記他属性情報のいずれか一つを選択情報として選択するために用いられる選択手段と、
前記一属性情報出力装置及び前記他属性情報出力装置から夫々同時に出力されるべき前記一属性情報及び前記他属性情報を夫々識別するための識別情報に基づいて、前記選択された選択情報と同時に出力されるべき前記一属性情報又は前記他属性情報のいずれか一つを出力するための情報が入力される前記一属性入力手段又は前記他属性入力手段のいずれかを選択する入力選択手段と、
を備えることを特徴とする情報出力システム。
【請求項２】
請求項１に記載の情報出力システムにおいて、
前記選択された選択情報と同時に出力される前記一属性情報又は前記他属性情報のいずれか一つと共に、当該選択情報を出力する前記一属性情報出力装置又は前記他属性情報出力装置のいずれか一方に関連する関連情報を出力するように制御する制御手段を更に備えることを特徴とする情報出力システム。
【請求項３】
請求項１又は２に記載の情報出力システムにおいて、
前記選択手段及び前記入力選択手段は、前記一属性情報出力装置又は前記他属性情報出力装置のいずれか一方の中に備えられていると共に、
前記一属性情報出力装置と前記他情報出力装置とが入力選択制御情報の授受が可能に接続されており、
前記入力選択手段は、当該入力選択手段が備えられている前記いずれか一方から、前記選択された一属性入力手段又は他属性入力手段のいずれかを示す前記入力選択制御情報を前記一属性情報出力装置又は前記他属性情報出力装置のいずれか他方に出力し、当該いずれか他方に含まれている前記選択された一属性入力手段又は他属性入力手段のいずれかを選択することを特徴とする情報出力システム。
【請求項４】
請求項１から３のいずれか一項に記載の情報出力システムにおいて、
前記一属性情報及び前記他属性情報を夫々生成して出力する情報生成装置を複数備えると共に、
各前記一属性情報入力手段と各前記情報生成装置とが前記一属性情報の授受が可能に一対一に接続されており、
更に各前記他属性情報入力手段と各前記情報生成装置とが前記他属性情報の授受が可能に一対一に接続されていることを特徴とする情報出力システム。
【請求項５】
請求項１から４のいずれか一項に記載の情報出力システムにおいて、
前記一属性情報が映像情報であると共に、
前記一属性情報出力装置が映像表示装置であり、
更に前記他属性情報が前記映像情報に対応した内容を有する音情報であると共に、
前記他属性情報出力装置が音増幅用の増幅装置であることを特徴とする情報出力システム。
【請求項６】
請求項１から５のいずれか一項に記載の情報出力システムに含まれる前記一属性情報出力装置であって、
各前記一属性情報入力手段と、
前記選択手段と、
前記入力選択手段と、
を備えることを特徴とする一属性情報出力装置。
【請求項７】
請求項１から５のいずれか一項に記載の情報出力システムに含まれる前記他属性情報出力装置であって、
各前記他属性情報入力手段と、
前記選択手段と、
前記入力選択手段と、
を備えることを特徴とする他属性情報出力装置。
【請求項８】
複数種類の属性のうちのいずれか一の属性を有する一属性情報を出力することを主用途とする一属性情報出力装置であって、前記一属性情報を出力するための情報が入力される一属性入力手段を複数備える一属性情報出力装置と、前記一属性情報と異なる属性を有する他属性情報を出力することを主用途とする他属性情報出力装置であって、前記他属性情報を出力するための情報が入力される他属性入力手段を複数備える他属性情報出力装置と、を含む情報出力システムにおいて実行される情報出力制御方法であって、
出力すべき前記一属性情報又は前記他属性情報のいずれか一つを選択情報として選択する選択工程と、
前記一属性情報出力装置及び前記他属性情報出力装置から夫々同時に出力されるべき前記一属性情報及び前記他属性情報を夫々識別するための識別情報に基づいて、前記選択された選択情報と同時に出力されるべき前記一属性情報又は前記他属性情報のいずれか一つを出力するための情報が入力される前記一属性入力手段又は前記他属性入力手段のいずれかを選択する入力選択工程と、
を備えることを特徴とする情報出力制御方法。
【請求項９】
複数種類の属性のうちのいずれか一の属性を有する一属性情報を出力することを主用途とする一属性情報出力装置であって、前記一属性情報を出力するための情報が入力される一属性入力手段を複数備える一属性情報出力装置と、前記一属性情報と異なる属性を有する他属性情報を出力することを主用途とする他属性情報出力装置であって、前記他属性情報を出力するための情報が入力される他属性入力手段を複数備える他属性情報出力装置と、を含む情報出力システムに含まれるコンピュータを、
出力すべき前記一属性情報又は前記他属性情報のいずれか一つを選択情報として選択するために用いられる選択手段、及び、
前記一属性情報出力装置及び前記他属性情報出力装置から夫々同時に出力されるべき前記一属性情報及び前記他属性情報を夫々識別するための識別情報に基づいて、前記選択された選択情報と同時に出力されるべき前記一属性情報又は前記他属性情報のいずれか一つを出力するための情報が入力される前記一属性入力手段又は前記他属性入力手段のいずれかを選択する入力選択手段、
として機能させることを特徴とする情報出力制御用プログラム。
【発明の詳細な説明】
【０００１】
【発明の属する技術分野】
本願は、情報出力システム、情報出力制御方法、情報出力制御用プログラムの技術分野に属す。より詳細には、異なる属性を有する情報を同時に出力する際の出力態様を制御する情報出力システム及び情報出力制御方法および当該情報の出力制御に用いられる情報制御用プログラムの技術分野に属する。
【０００２】
【従来の技術】
近年、複数のオーディオビジュアル（以下、単にＡＶ（Ａｕｄｉｏ  Ｖｉｓｕａｌ）と称する）装置（例えば、ＤＶＤ（Ｄｉｇｉｔａｌ  Ｖｅｒｓａｔｉｌｅ  Ｄｉｓｃ）プレーヤ及びセットトップボックス等）から出力される音信号及び映像信号を、音信号再生用の増幅器と映像出力用のディスプレイとに夫々出力し、対応する音及び映像を楽しむ方法がある。そしてこの場合、スピーカに接続されて音信号の再生に最適化された増幅器に音信号を出力すると共にディスプレイに映像信号を出力することにより、対応する音及び映像をより高性能且つ最適に楽しむことができる。
【０００３】
なお、この場合、上記増幅器には、異なる複数のＡＶ装置からの音信号に夫々対応する複数の入力端子が備えられていると共に、同様に上記ディスプレイには、異なる複数のＡＶ装置からの映像信号に夫々対応する複数の入力端子が備えられている必要がある。
【０００４】
【発明が解決しようとする課題】
しかしながら、上述したように増幅器に備えられた複数の入力端子及びディスプレイに備えられた複数の入力端子に複数のＡＶ装置が接続されている場合において例えばＤＶＤプレーヤにおいて再生された音及び映像を視聴するとき、増幅器とディスプレイにおいて夫々別個にＤＶＤプレーヤに接続されている入力端子を選択する操作を行う必要があるという問題点があった。
【０００５】
すなわち、増幅器においてＤＶＤプレーヤに接続されている入力端子を選択した場合、当該増幅器に備えられたスピーカからは当該ＤＶＤプレーヤにおいて再生された音信号に基づく音が放音されるが、ディスプレイに当該ＤＶＤプレーヤにおいて再生された対応する映像を表示させるためには、増幅器とは別個に当該ディスプレイにおいてＤＶＤプレーヤに接続されている入力端子を選択する必要があり、当該ＤＶＤプレーヤにおいて再生された音及び映像を視聴するには複数段階の操作が必要になるのである。
【０００６】
一方、上記ディスプレイにはスピーカを備えるものがあり、上述した複数段階の操作を回避すべく当該ディスプレイに備えられたスピーカを用いて当該ディスプレイにおいて表示する映像に対応する音を放音するように構成することも可能である。しかしながらこの場合には、通常ディスプレイに兼ね備えられているスピーカについては当該スピーカ単独で見た場合の性能が不十分な場合が多いため、結果として所望される高音質の音が得られないという問題点がある。
【０００７】
そこで、本願は上記の各問題点に鑑みて為されたもので、その課題の一例は、簡易な構成及び操作によりつつも質の高い映像又は音を出力させることが可能な情報出力システム及び情報出力制御方法並びに当該情報の出力制御に用いられる情報出力制御用プログラムを提供することにある。
【０００８】
【課題を解決するための手段】
上記の問題点を解決するために、請求項１に記載の発明は、複数種類の属性のうちのいずれか一の属性を有する一属性情報を出力することを主用途とする一属性情報出力装置であって、前記一属性情報を出力するための情報が入力される一属性入力手段を複数備える一属性情報出力装置と、前記一属性情報と異なる属性を有する他属性情報を出力することを主用途とする他属性情報出力装置であって、前記他属性情報を出力するための情報が入力される他属性入力手段を複数備える他属性情報出力装置と、を含む情報出力システムにおいて、出力すべき前記一属性情報又は前記他属性情報のいずれか一つを選択情報として選択するために用いられる選択部等の選択手段と、前記一属性情報出力装置及び前記他属性情報出力装置から夫々同時に出力されるべき前記一属性情報及び前記他属性情報を夫々識別するための識別情報に基づいて、前記選択された選択情報と同時に出力されるべき前記一属性情報又は前記他属性情報のいずれか一つを出力するための情報が入力される前記一属性入力手段又は前記他属性入力手段のいずれかを選択する制御部等の入力選択手段と、を備える。
【０００９】
上記の問題点を解決するために、請求項６に記載の発明は、請求項１から５のいずれか一項に記載の情報出力システムに含まれる前記一属性情報出力装置であって、各前記一属性情報入力手段と、前記選択手段と、前記入力選択手段と、を備える。
【００１０】
上記の課題を解決するために、請求項７に記載の発明は、請求項１から５のいずれか一項に記載の情報出力システムに含まれる前記他属性情報出力装置であって、各前記他属性情報入力手段と、前記選択手段と、前記入力選択手段と、を備える。
【００１１】
上記の課題を解決するために、請求項８に記載の発明は、複数種類の属性のうちのいずれか一の属性を有する一属性情報を出力することを主用途とする一属性情報出力装置であって、前記一属性情報を出力するための情報が入力される一属性入力手段を複数備える一属性情報出力装置と、前記一属性情報と異なる属性を有する他属性情報を出力することを主用途とする他属性情報出力装置であって、前記他属性情報を出力するための情報が入力される他属性入力手段を複数備える他属性情報出力装置と、を含む情報出力システムにおいて実行される情報出力制御方法であって、出力すべき前記一属性情報又は前記他属性情報のいずれか一つを選択情報として選択する選択工程と、前記一属性情報出力装置及び前記他属性情報出力装置から夫々同時に出力されるべき前記一属性情報及び前記他属性情報を夫々識別するための識別情報に基づいて、前記選択された選択情報と同時に出力されるべき前記一属性情報又は前記他属性情報のいずれか一つを出力するための情報が入力される前記一属性入力手段又は前記他属性入力手段のいずれかを選択する入力選択工程と、を備える。
【００１２】
上記の課題を解決するために、請求項９に記載の発明は、複数種類の属性のうちのいずれか一の属性を有する一属性情報を出力することを主用途とする一属性情報出力装置であって、前記一属性情報を出力するための情報が入力される一属性入力手段を複数備える一属性情報出力装置と、前記一属性情報と異なる属性を有する他属性情報を出力することを主用途とする他属性情報出力装置であって、前記他属性情報を出力するための情報が入力される他属性入力手段を複数備える他属性情報出力装置と、を含む情報出力システムに含まれるコンピュータを、出力すべき前記一属性情報又は前記他属性情報のいずれか一つを選択情報として選択するために用いられる選択手段、及び、前記一属性情報出力装置及び前記他属性情報出力装置から夫々同時に出力されるべき前記一属性情報及び前記他属性情報を夫々識別するための識別情報に基づいて、前記選択された選択情報と同時に出力されるべき前記一属性情報又は前記他属性情報のいずれか一つを出力するための情報が入力される前記一属性入力手段又は前記他属性入力手段のいずれかを選択する入力選択手段、として機能させる。
【００１３】
【発明の実施の形態】
次に、本願に好適な実施の形態について、図面に基づいて説明する。
【００１４】
なお、以下に説明する実施の形態は、映像情報及び音情報を夫々に出力することが可能なＤＶＤプレーヤ等のＡＶ装置を複数含み、これらＡＶ装置からの映像情報をディスプレイに出力すると共に、当該ＡＶ装置からの音情報を増幅器を介してスピーカから出力するように構成されているＡＶシステムに対して本願を適用した場合の実施形態である。
（Ｉ）第１実施形態
（Ａ）ＡＶシステムの全体構成及び機能の実施形態
始めに、本実施形態に係るＡＶシステムの構成及び機能を、図１を用いて説明する。なお、図１は当該ＡＶシステムの概要構成を示すブロック図である。
【００１５】
図１に示すように、実施形態に係るＡＶシステムＴは、増幅器１と、ディスプレイ２と、ＤＶＤプレーヤ３ａと、ビデオテープレコーダ３ｂと、セットトップボックス３ｃと、通信網ＮＴと、により構成されている。
【００１６】
このとき、増幅器１とディスプレイ２とは、ローカルエリアネットワーク等の通信網ＮＴにより接続されており、更に増幅器１は、ＤＶＤプレーヤ３ａ、ビデオテープレコーダ３ｂ及びセットトップボックス３ｃと夫々コードＣｓａ、Ｃｓｂ及びＣｓｃを介して接続されている。
【００１７】
このとき、コードＣｓａは増幅器１における外部入力部１１内の第１外部入力端子１１ａに、コードＣｓｂは当該外部入力部１１内の第２外部入力端子１１ｂに、コードＣｓｃは当該外部入力部１１内の第３外部入力端子１１ｃに、夫々接続されている。
【００１８】
一方、ディスプレイ２は、ＤＶＤプレーヤ３ａ、ビデオテープレコーダ３ｂ及びセットトップボックス３ｃと夫々コードＣｖａ、Ｃｖｂ及びＣｖｃを介して接続されている。
【００１９】
このとき、コードＣｖａはディスプレイ２における外部入力部２１内の第１外部入力端子２１ａに、コードＣｖｂは当該外部入力部２１内の第２外部入力端子２１ｂに、コードＣｖａは当該外部入力部２１内の第３外部入力端子２１ｃに、夫々接続されている。
【００２０】
そして、上述した構成において、ＤＶＤプレーヤ３ａにおいて再生された音情報（以下、当該音情報を音情報ＳＡと称する）、ビデオテープレコーダ３ｂにおいて再生された音情報（以下、当該音情報を音情報ＳＢと称する）及びセットトップボックス３ｃから出力された音情報（以下、当該音情報を音情報ＳＣと称する）は、夫々コードＣｓａ、コードＣｓｂ又はコードＣｓｃを夫々介して増幅器１に入力される。
【００２１】
一方、ＤＶＤプレーヤ３ａにおいて再生された映像情報（以下、当該映像情報を映像情報ＶＡと称する）、ビデオテープレコーダ３ｂにおいて再生された映像情報（以下、当該映像情報を映像情報ＶＢと称する）及びセットトップボックス３ｃから出力された映像情報（以下、当該映像情報を映像情報ＶＣと称する）は、夫々コードＣｖａ、コードＣｖｂ又はコードＣｖｃを夫々介してディスプレイ２に入力される。
【００２２】
（Ｂ）増幅器の細部構成及び機能
次に、増幅器１の細部構成及び機能について、図１及び図２を用いて説明する。なお、図２は後述する接続テーブルＴＢの内容の一例を示す図である。
【００２３】
図１に示す増幅器１は、いわゆるＡＶアンプとして構成されており、入力された音情報に対して音量調整、トーン調整又はバランス調整等の調整処理等を施し、所望の音信号を図示しないスピーカ等に出力して放音させる。
【００２４】
このとき、当該増幅器１は、電源部１０と、上記外部入力部１１と、選択手段としての選択部１２と、記憶部１３と、通信部１４と、当該各構成部材を制御する入力選択手段としての制御部１５と、により構成されており、当該各構成部材はバス１６を介して相互に情報の授受が可能に接続されている。
【００２５】
このとき、外部入力部１１は、上記した第１外部入力端子１１ａ、第２外部入力端子１１ｂ及び第３外部入力端子１１ｃを備えている。
【００２６】
更に、選択部１２は、上記第１外部入力端子１１ａ、第２外部入力端子１１ｂ又は第３外部入力端子１１ｃを介して夫々入力されて来る音情報ＳＡ、ＳＢ又はＳＣのうち、放音が所望される音情報を選択するために用いられる。
【００２７】
より具体的に選択部１２は、例えばリモートコントローラ等として構成されており、上記第１外部入力端子１１ａに対応する図示しない第１外部入力ボタンと、上記第２外部入力端子１１ｂに対応する図示しない第２外部入力ボタンと、上記第３外部入力端子１１ｃに対応する図示しない第３外部入力ボタンを含んでいる。そして、ＡＶシステムＴの使用者が操作したいずれかの外部入力ボタンに対応する外部入力端子１１ａ乃至１１ｃのいずれかを介して入力された音情報を、上記図示しないスピーカを介して放音するように構成されている。
【００２８】
次に、記憶部１３は、選択部１２の各外部入力ボタンに夫々対応する外部入力端子１１ａ、１１ｂ又は１１ｃと、上記ディスプレイ２の外部入力部２１に備えられた各外部入力端子２１ａ乃至２１ｃとの対応関係を示す接続情報を記憶する。
【００２９】
すなわち、実施形態のＡＶシステムＴにおいては、ＤＶＤプレーヤ３ａから再生された音情報ＳＡと映像情報ＶＡとは、本来は対応する音のスピーカからの放音と対応する映像のディスプレイ２上における表示とが同時に為されるべきものである。従って、記憶部１３内には、図２に示すように、第１外部入力ボタンに対応する第１外部入力端子１１ａに対応付けられるディスプレイ２上の外部入力端子として、当該ディスプレイ２上の外部入力端子２１ａを示す接続情報ＩＤａを含む接続テーブルＴＢが記憶されている。
【００３０】
これと同様に、ビデオテープレコーダ３ｂから再生された音情報ＳＢと映像情報ＶＢとは、本来は対応する音の放音と対応する映像の表示とが同時に為されるべきものである。従って、記憶部１３内には、第２外部入力ボタンに対応する第２外部入力端子１１ｂに対応付けられるディスプレイ２上の外部入力端子として、当該ディスプレイ２上の外部入力端子２１ｂを示す接続情報ＩＤｂを含む接続テーブルＴＢが記憶されている。
【００３１】
更に同様に、セットトップボックス３ｃから再生された音情報ＳＣと映像情報ＶＣとは、本来は対応する音の放音と対応する映像の表示とが同時に為されるべきものである。従って、記憶部１３内には、第３外部入力ボタンに対応する第３外部入力端子１１ｃに対応付けられるディスプレイ２上の外部入力端子として、当該ディスプレイ２上の外部入力端子２１ｃを示す接続情報ＩＤｃを含む接続テーブルＴＢが記憶されている。
【００３２】
次に、通信部１４は、制御部１５による制御の下、通信網ＮＴを介して上記ディスプレイ２に対して後述する制御情報の授受を行う。すなわち、当該制御情報は、上記選択部１２によって選択された第１外部入力端子１１ａ乃至第３外部入力端子１１ｃに夫々対応するディスプレイ２の第１外部入力端子２１ａ乃至第３外部入力端子２１ｃからの映像情報を選択して表示するようにディスプレイ２を制御するための選択制御情報である。
【００３３】
そして、制御部１５は、図示しないＣＰＵ（Ｃｅｎｔｒａｌ  Ｐｒｏｃｅｓｓｉｎｇ  Ｕｎｉｔ）、作業用ＲＡＭ（Ｒａｎｄｏｍ  Ａｃｃｅｓｓ  Ｍｅｍｏｒｙ）、通信処理プログラム等を含む各種制御プログラムやデータ等を記憶するＲＯＭ（Ｒｅａｄ  Ｏｎｌｙ  Ｍｅｍｏｒｙ）及び発振回路等を備えて構成されており、図示しない操作部からの操作信号に基づいて、当該操作信号に含まれている操作情報に対応する動作を実現すべく上記各構成部材を制御するための制御情報を生成し、バス１６を介して当該制御情報を該当する構成部材に出力して当該各構成部材の動作を統轄制御する。
【００３４】
これと並行して、制御部１５は、上記選択制御情報を生成して通信部１４及び通信網ＮＴを介してディスプレイ２へ出力する。
【００３５】
ここで、当該選択制御情報に係る処理についてより具体的には、上記選択部１２において第１外部入力ボタンが選択されると、第１外部入力端子１１ａに接続されているＤＶＤプレーヤ３ａにおいて再生された音情報ＳＡが選択され図示しないスピーカから当該音情報ＳＡに対応する音が放音されるのであるが、これと並行して、上記接続テーブルＴＢに含まれているディスプレイ２内の第１外部入力端子２１ａを示す接続情報ＩＤａが上記制御部１５により抽出され、これに対応する選択制御情報（第１外部入力端子２１ａを示す選択制御情報）が生成されて上記通信部１４及び通信網ＮＴを介してディスプレイ２へ送信される。
【００３６】
そして、当該選択制御情報が入力されるディスプレイ２は、第１外部入力端子２１ａと接続されたＤＶＤプレーヤ３ａから出力されて来る映像情報ＶＡに基づく映像を表示することになり、ＤＶＤプレーヤ３ａからの音情報ＳＡに基づく音と映像情報ＶＡに基づく映像とが同期して放音／表示されることになる。
【００３７】
これと同様に、上記選択部１２において第２外部入力ボタン（又は第３外部入力ボタン）が選択されると、第２外部入力端子１１ｂ（又は第３外部入力端子１１ｃ）に接続されているビデオテープレコーダ３ｂ（又はセットトップボックス３ｃ）において再生（又は出力）された音情報ＳＢ（又は音情報ＳＣ）が選択され図示しないスピーカから当該音情報ＳＢ（又は音情報ＳＣ）に対応する音が放音されるのであるが、これと並行して、上記接続テーブルＴＢに含まれているディスプレイ２内の第２外部入力端子２１ｂ（又は第３外部入力端子２１ｃ）を示す接続情報ＩＤｂ（又は接続情報ＩＤｃ）が上記制御部１５により抽出され、これに対応する選択制御情報（第２外部入力端子２１ｂを示す選択制御情報（又は第３外部入力端子２１ｃを示す選択制御情報））が生成されて上記通信部１４及び通信網ＮＴを介してディスプレイ２へ送信される。
【００３８】
そして、当該選択制御情報が入力されるディスプレイ２は、第２外部入力端子２１ｂと接続されたビデオテープレコーダ３ｂ（又はセットトップボックス３ｃ）から出力されて来る映像情報ＶＢ（又は映像情報ＶＣ）に基づく映像を表示することになり、ビデオテープレコーダ３ｂ（又はセットトップボックス３ｃ）からの音情報ＳＢ（又は音情報ＳＣ）に基づく音と映像情報ＶＢ（又は映像情報ＶＣ）に基づく映像とが同期して放音／表示されることになる。
【００３９】
（Ｃ）ディスプレイの細部構成及び機能
次に、ディスプレイ２の細部構成及び機能について説明する。
【００４０】
図１に示すディスプレイ２は、具体的には、プラズマディスプレイ、ＣＲＴ（Ｃａｔｈｏｄｅ  Ｒａｙ  Ｔｕｂｅ）、液晶ディスプレイ等より構成されるものであり、入力された映像情報Ｖに対応する動画像又は静止画像を表示するものである。
【００４１】
このとき、当該ディスプレイ２は、電源部２０と、上記外部入力部２１と、通信部２２と、選択部２３と、表示部２４と、当該各構成部材を制御する制御部２５と、により構成されており、当該各構成部材はバス２６を介して相互に情報の授受が可能に接続されている。
【００４２】
このとき、外部入力部２１は、上記した外部入力端子２１ａ、外部入力端子２１ｂ及び外部入力端子２１ｃを備えている。
【００４３】
そして、通信部２２は、通信網ＮＴを介して上記増幅器１からの上記選択制御情報を受信する。
【００４４】
また、選択部２３は、上記通信部２２より受信した選択制御情報に基づいて、上記第１外部入力端子２１ａ乃至第３外部入力端子２１ｃのいずれかを選択し、当該選択された外部入力端子を介して入力されてくる映像情報ＶＡ、ＶＢ又はＶＣに対応する映像を表示部２４に表示させる。
【００４５】
このとき、表示部２４は、上記プラズマディスプレイ、ＣＲＴ表示部又は液晶表示部等により構成され、上記選択部２３によって選択された一の外部入力端子より入力される映像情報に基づいて、対応する映像を表示する。
【００４６】
そして、制御部２５は、図示しないＣＰＵ、作業用ＲＡＭ、通信処理プログラム等を含む各種制御プログラムやデータ等を記憶するＲＯＭ及び発振回路等を備えており、図示しない操作部からの操作信号に基づいて、当該操作信号に含まれている操作情報に対応する動作を実現すべく上記各構成部材を制御するための制御情報を生成し、バス１６を介して当該制御情報を該当する構成部材に出力して当該各構成部材の動作を統轄制御する。
【００４７】
これと並行して制御部２５は、上記通信部２２により受信された上記選択制御情報に基づいて、当該選択制御情報により示される外部入力端子を選択して対応する映像情報を取得するように、上記選択部２３を制御する。
【００４８】
（Ｄ）選択制御動作の実施形態
次に、図１乃至図４を参照して、本願に係る外部入力端子の選択制御動作について、具体的に説明する。
【００４９】
なお、図３及び図４は、図１に示すＡＶシステムＴにおける制御処理を示すものであり、具体的には、図３は増幅器１の制御部１５において実行される上記選択制御動作を示すフローチャートであり、図４はディスプレイ２の制御部２５において実行される上記選択制御動作を示すフローチャートである。
【００５０】
まず、増幅器１からディスプレイ２へ上記選択制御情報を送信する際の動作について、図３を用いて説明する。なお、図３に示される処理は、制御部１５内の図示しないＲＯＭに予め記憶されている選択制御プログラムに基づいて当該制御部１５により実行される。
【００５１】
図３に示すように、まず、選択部１２において上記第１外部入力１ボタンが選択されたか否かを判断し（ステップＳ１）、第１外部入力１ボタンが選択されたと判断した場合には（ステップＳ１：Ｙｅｓ）、記憶部１３に記憶した接続テーブルＴＢ内の接続情報ＩＤａに基づき、ディスプレイ２における第１外部入力端子２１ａを選択すべき旨の選択制御情報を生成し（ステップＳ２）、その選択制御情報を通信部１４及び通信網ＮＴを介してディスプレイ２内の通信部２２に送信して（ステップＳ７）増幅器１における一連の選択制御動作を終了する。
【００５２】
一方、ステップＳ１の判定において、第１外部入力ボタンが選択されていないと判断した場合には（ステップＳ２：Ｎｏ）、次に、当該選択部１２において第２外部入力ボタンが選択されたか否かを判断し（ステップＳ３）、第２外部入力ボタンが選択されたと判断した場合には（ステップＳ３：Ｙｅｓ）、上記接続情報ＩＤｂに基づき、ディスプレイ２における第２外部入力端子２１ｂを選択すべき旨の選択制御情報を生成し（ステップＳ４）、その選択制御情報を通信部１４及び通信網ＮＴを介してディスプレイ２内の通信部２２に送信して（ステップＳ７）増幅器１における一連の選択制御動作を終了する。
【００５３】
更に、ステップＳ３の判定において、第２外部入力ボタンが選択されていないと判断した場合には（ステップＳ３：Ｎｏ）、次に、当該選択部１２において第３外部入力ボタンが選択されたか否かを判断し（ステップＳ５）、第３外部入力ボタンが選択されたと判断した場合には（ステップＳ５：Ｙｅｓ）、上記接続情報ＩＤｃに基づき、ディスプレイ２における第３外部入力端子２１ｃを選択すべき旨の選択制御情報を生成し（ステップＳ６）、その選択制御情報を通信部１４及び通信網ＮＴを介してディスプレイ２内の通信部２２に送信して（ステップＳ７）増幅器１における一連の選択制御動作を終了する。
【００５４】
以上の動作により、増幅器１にて音情報ＳＡ、ＳＢ又はＳＣが選択されると、対応する映像情報ＶＡ、ＶＢ又はＶＣを選択するための選択制御情報がディスプレイ２へ送信される。
【００５５】
次に、図４を用いて、増幅器１からの上記選択制御情報を受信するディスプレイ２において実行される選択制御動作について説明する。なお、図４に示される処理は、制御部２５内の図示しないＲＯＭに予め記憶されている選択制御プログラムに基づいて当該制御部２５により実行される。
【００５６】
図４に示すように、ディスプレイ２において実施形態の選択制御動作を実行する際には、当該ディスプレイ２に接続されているＤＶＤプレーヤ３ａ、ビデオテープレコーダ３ｂ及びセットトップボックス３ｃから、第１外部入力端子２１ａ、第２外部入力端子２１ｂ又は第３外部入力端子２１ｃを夫々介して映像情報ＶＡ、ＶＢ及びＶＣが受信されている。
【００５７】
そしてまず、増幅器１からの第１外部入力端子２１ａを選択すべき旨の選択制御情報（図３ステップＳ２及びＳ７参照）を通信部２２において受信したか否かを判断し（ステップＳ１０）、当該第１外部入力端子２１ａを選択すべき旨の選択制御情報を受信したと判断した場合には（ステップＳ１０：Ｙｅｓ）、選択部２３において第１外部入力端子２１ａを選択し（ステップＳ１１）、当該選択した第１外部入力端子２１ａに入力されているＤＶＤプレーヤ３ａからの映像情報ＶＡに対応する映像を表示部２４において表示して（ステップＳ１６）ディスプレイ２における一連の選択制御動作を終了する。なお、この場合には、増幅器１に接続されている図示しないスピーカからは、当該増幅器１の第１外部入力端子１１ａに入力されているＤＶＤプレーヤ３ａからの音情報ＳＡに対応する音が放音されていることになる。この場合、当該放音の開始タイミングは、図３ステップＳ１における選択時に続いて行うか、或いは図３ステップＳ７における選択制御情報の送信前であることが好ましい。これにより、より確実に音と映像を同期させることができることになる。
【００５８】
一方、ステップＳ１０の判定において、第１外部入力端子２１ａを選択すべき旨の選択制御情報を受信したと判断しない場合には（ステップＳ１０：Ｎｏ）、次に、増幅器１からの第２外部入力端子２１ｂを選択すべき旨の選択制御情報（図３ステップＳ４及びＳ７参照）を通信部２２において受信したか否かを判断し（ステップＳ１２）、当該第２外部入力端子２１ｂを選択すべき旨の選択制御情報を受信したと判断した場合には（ステップＳ１２：Ｙｅｓ）、選択部２３において第２外部入力端子２１ｂを選択し（ステップＳ１３）、当該選択した第２外部入力端子２１ａに入力されているビデオテープレコーダ３ｂからの映像情報ＶＢに対応する映像を表示部２４において表示して（ステップＳ１６）ディスプレイ２における一連の選択制御動作を終了する。
【００５９】
なお、この場合には、増幅器１に接続されている図示しないスピーカからは、当該増幅器１の第２外部入力端子１１ｂに入力されているビデオテープレコーダ３ｂからの音情報ＳＢに対応する音が放音されていることになる。この場合、当該放音の開始タイミングは、図３ステップＳ３における選択時に続いて行うか、或いは図３ステップＳ７における選択制御情報の送信前であることが好ましい。これにより、より確実に音と映像を同期させることができることになる。
【００６０】
他方、ステップＳ１２の判定において、第２外部入力端子２１ｂを選択すべき旨の選択制御情報を受信したと判断しない場合には（ステップＳ１２：Ｎｏ）、次に、増幅器１からの第３外部入力端子２１ｃを選択すべき旨の選択制御情報（図３ステップＳ６及びＳ７参照）を通信部２２において受信したか否かを判断し（ステップＳ１４）、当該第３外部入力端子２１ｃを選択すべき旨の選択制御情報を受信したと判断した場合には（ステップＳ１４：Ｙｅｓ）、選択部２３において第３外部入力端子２１ｃを選択し（ステップＳ１５）、当該選択した第３外部入力端子２１ｃに入力されているセットトップボックス３ｃからの映像情報ＶＣに対応する映像を表示部２４において表示して（ステップＳ１６）ディスプレイ２における一連の選択制御動作を終了する。なお、この場合には、増幅器１に接続されている図示しないスピーカからは、当該増幅器１の第３外部入力端子１１ｃに入力されているセットトップボックス３ｃからの音情報ＳＣに対応する音が放音されていることになる。この場合、当該放音の開始タイミングは、図３ステップＳ５における選択時に続いて行うか、或いは図３ステップＳ７における選択制御情報の送信前であることが好ましい。これにより、より確実に音と映像を同期させることができることになる。
【００６１】
以上説明したように、実施形態のＡＶシステムＴにおける選択制御動作によれば、増幅器１にて放音が所望される音情報ＳＡ、ＳＢ又はＳＣが選択されると、その選択内容に同期して同一出力元（ＤＶＤプレーヤ３ａ、ビデオカセットレコーダ３ｂ又はセットトップボックス３ｃのいずれか）の映像情報ＶＡ、ＶＢ又はＶＣに基づく映像を表示する用制御するための選択制御情報をディスプレイ２に送信することにより、瞬時に対応する映像をディスプレイ２の表示部２４に表示させることが可能になる。
【００６２】
従って、増幅器１で放音を所望する音の出力元が選択されると、瞬時にディスプレイ２上の映像がその出力元に対応する映像に切り換わるので、ディスプレイ２の外部入力ボタン等を操作する必要もなく、使用者は常に所望の音と映像の組み合わせを視聴することができる。
【００６３】
また、映像をディスプレイ２で表示し、更に対応する音を増幅器１に接続されたスピーカから出力するので、使用者に対する操作の負担を最小限としつつ高画質の映像並びに高音質の音を視聴することができる。
【００６４】
なお、上述した実施形態においては、音情報ＳＡ、ＳＢ又はＳＣの選択や選択制御情報の生成を接続テーブルＴＢ内の接続情報ＩＤａ乃至ＩＤｃに基づいて行っているため、使用者によって図示しないキーボード、リモコン、増幅器１のキー等の入力部からこの対応付けを自由に変更・設定できる。
【００６５】
より具体的には、例えばセットトップボックス３ｃからの音情報ＳＣとＤＶＤプレーヤ３ａからの映像情報ＶＡとを同時に出力させる場合には、記憶部１３内における接続情報ＩＤｃとして第１外部入力端子２１ａを示す情報を記憶させておけばよく、また、常にＤＶＤプレーヤ３ａからの映像情報ＶＡに基づく映像を表示部２４に表示させたい場合には、全ての接続情報を第１外部入力端子２１ａを示す内容として記憶させておけばよい。
【００６６】
また、増幅器１のサラウンドモード等の各種音質設定や、各種初期設定、接続されているスピーカの数とその音量や設定距離、あるいは自動音場設定機能等の各種設定プロセス等を関連情報として通信部１４よりディスプレイ２に通信網ＮＴを介して送信し、ディスプレイ２の表示部２４において増幅器１の該関連情報を表示させるよう構成してもよい。このような構成により、増幅器１の状態をディスプレイ２の表示部２４において確認することができる。この場合は、特に表示部２４の下部にテロップ表示させるように構成するとよい。これによれば、オンスクリーンシステムなどの回路などを備えずとも、増幅器１の状態をディスプレイ２にて表示させ、確認することが可能になる。
【００６７】
更には、上述した実施形態においては増幅器１内に記憶部１３を備え、当該増幅器１からディスプレイ２に選択制御情報を送信するよう構成したが、これ以外に、ディスプレイ２内に記憶部１３と同様の内容を記憶する記憶部を設け、選択された第１外部入力端子２１ａ乃至第３外部出力端子２１ｃに対応させるべき第１外部入力端子１１ａ乃至第３外部入力端子１１ｃを示す接続情報を当該記憶部内に記憶させるように構成することもできる。この構成によれば、ディスプレイ２にて表示を所望する映像情報ＶＡ乃至ＶＣのいずれかが選択されると、それと同時に同一出力元の音情報ＳＡ乃至ＳＣのいずれかを選択するよう制御する選択制御情報を、通信網ＮＴを介して通信部２２から通信部１４へ送信することにより、瞬時に対応する音を増幅器１に接続されたスピーカから放音させることが可能になる。
【００６８】
更にまた、図３及び図４に示すフローチャートに対応するプログラムをフレキシブルディスク又はハードディスク等の情報記録媒体に記録しておき、あるいはインターネット等のネットワークを介して取得して記録しておき、これらをマイクロコンピュータ等の汎用のコンピュータで読み出して実行することにより、当該コンピュータを実施形態に係る制御部１５又は２５として機能させることも可能である。
【図面の簡単な説明】
【図１】実施形態におけるＡＶシステムＴの概要構成を示すブロック図である。
【図２】接続情報の一例を示す図である。
【図３】選択制御動作を示すフローチャート（Ｉ）である。
【図４】選択制御動作を示すフローチャート（ＩＩ）である。
【符号の説明】
１…増幅器
２…ディスプレイ
３ａ…ＤＶＤプレーヤ
３ｂ…ビデオテープレコーダ
３ｃ…セットトップボックス
１０，２０…電源部
１１，２１…外部入力部
１１ａ、２１ａ…第１外部入力端子
１１ｂ，２１ｂ…第２外部入力端子
１１ｃ、２１ｃ…第３外部入力端子
１２、２３…選択部
１３…記憶部
１４、２２…通信部
１５、２５…制御部
１６、２６…バス
２４…表示部
Ｔ…ＡＶシステム
Ｃｓａ、Ｃｓｂ、Ｃｓｃ、Ｃｖａ、Ｃｖｂ、Ｃｖｃ…コード
ＩＤａ、ＩＤｂ、ＩＤｃ…接続情報
ＴＢ…接続テーブル
【図１】
2005051399.tif 000003
【図２】
2005051399.tif 000004
【図３】
2005051399.tif 000005
【図４】
2005051399.tif 000006